(57)【要約】      （修正有）【課題】ボイスコイルに発生する熱を適切に放出することができる音響装置を提供する。【解決手段】音響装置１は、フレーム６と、フレームの前後方向に沿って振動可能に支持される振動板１０と、フレームに支持されて、磁気ギャップ７３を形成する磁気回路部７と、振動板の後側に固定されて磁気ギャップに挿入される筒状のボビン９およびボビンに巻かれたボイスコイル８と、外周側がフレームに支持され、ボビンを支持するダンパ１２と、を備える。磁気回路部は、振動板の中央部に対向し外部空間ＳＸにつながる第１貫通孔７１Ｈを有するセンターポール部７１を有し、ダンパが後側に変位したときにダンパと磁気回路部との間に形成される第１空間Ｓ１から、磁気ギャップ、振動板の中央部とセンターポール７１との間に形成される第２空間Ｓ２、および第１貫通孔を経て、外部空間に至る通気路が形成されるように、ダンパの通気性が設定される。【選択図】図１
2018101895.tif 000002
【特許請求の範囲】
【請求項１】
フレームと、
前記フレームの前後方向に沿って振動可能に支持される振動板と、
前記フレームに支持されて、磁気ギャップを形成する磁気回路部と、
前記振動板の後側に固定されて前記磁気ギャップに挿入される筒状のボビンおよび前記ボビンに巻かれたボイスコイルと、
外周側が前記フレームに支持され、内周側が前記ボビンを支持するダンパと、
を備える音響装置であって、
前記磁気回路部は、センターポール部と、環状の磁気ギャップを介して前記センターポール部を囲む環状のトッププレート部と、前記磁気ギャップ内に磁界を与えるマグネットとを有し、
前記センターポール部が、一方の開口が前記振動板中央部に対向し、他方の開口により外部空間につながる第１貫通孔を有し、
前記ダンパが後側に変位したときに前記ダンパと前記磁気回路部との間に形成される第１空間から、前記磁気ギャップ、前記振動板中央部と前記センターポールとの間に形成される第２空間、および前記第１貫通孔をこの順で経て、前記外部空間に至る通気路が形成されるように、前記ダンパの通気性が設定されていることを特徴とする音響装置。
【請求項２】
前記ダンパは通気性を有さない、請求項１記載の音響装置。
【請求項３】
前記フレームは、ダンパ支持部から磁気回路取付部に至るまで前記第１空間と前記外部空間が連通しないように連続的に形成された、請求項１記載の音響装置。
【請求項４】
前記第２空間内および前記第１貫通孔内の少なくともいずれかに位置し、前記前後方向に対して交差する面を有するフィンをさらに備え、
前記フィンは、前記磁気回路部の動作時に、前記ボビンとともに前記前後方向に沿って往復動して前記通気路の通過流量を増やす、請求項１から請求項３のいずれか一項に記載の音響装置。
【請求項５】
前記振動板中央部に開口が設けられるとともに前記開口を塞ぐようにキャップが取り付けられ、
前記フィンの少なくとも１つは前記キャップに設けられる、請求項４に記載の音響装置。
【請求項６】
前記フィンの少なくとも１つは前記ボビンに設けられる、請求項４に記載の音響装置。
【発明の詳細な説明】
【技術分野】
【０００１】
本発明は、振動に伴い発生した熱による昇温を抑制しうる音響装置に関する。
【背景技術】
【０００２】
音響装置（スピーカ）では、入力された信号に応じて振動板を振動させて音圧を発生させる。この際発生する熱を適切に放出することが、音響装置の動作を安定化させる観点から重要である。特に、ボイスコイルを用いて振動板を振動させる構造の場合には、放熱が適切に行われないと、コイルの溶断など致命的な障害に至る可能性が高まる。
【０００３】
かかる放熱を効率的に行うことを課題として、特許文献１には、振動板と、磁気回路と、前記磁気回路のギャップ内に前記振動板と一体的に振動するよう配設されたボイスコイルと、前記ギャップを途中に含み形成された通気経路と、前記通気経路に設けられ、通過する空気の一方向の流量を他方向の流量よりも小さくするよう規制する流れ規制部と、を備えたスピーカ（音響装置）が記載されている。
【先行技術文献】
【特許文献】
【０００４】
【特許文献１】特開２０１４−８２５５９号公報
【発明の概要】
【発明が解決しようとする課題】
【０００５】
しかしながら、発明者らが確認したところによれば、特許文献１に開示される発明のように、センターポールに貫通孔を設け、さらに、振動板の中央部（センターキャップが配置された部分）、ボビンおよびセンターポールによって形成される空間（内部空間）またはこれに連続する空間と外部空間との境界近傍に弾性部材からなる弁部材を配置して、内部空間を非閉鎖空間としても、ボイスコイル周辺の空気の流れが弱くなり、ボイスコイルに生じた熱をスピーカ外に放出するプロセスが適切に生じない場合があることが明らかになった。
【０００６】
本発明は、このような従来技術の実情に鑑みてなされたもので、その目的は、ボビンの内側の空間が非閉鎖空間である構成を備える音響装置において、駆動に伴いボイスコイルに発生する熱を効率的に放出することができる音響装置を提供することにある。
【課題を解決するための手段】
【０００７】
上記課題を解決するために提供される本発明は、一態様において、フレームと、前記フレームの前後方向に沿って振動可能に支持される振動板と、前記フレームに支持されて、磁気ギャップを形成する磁気回路部と、前記振動板の後側に固定されて前記磁気ギャップに挿入される筒状のボビンおよび前記ボビンに巻かれたボイスコイルと、外周側が前記フレームに支持され、内周側が前記ボビンを支持するダンパと、を備える音響装置であって、前記磁気回路部は、センターポール部と、環状の磁気ギャップを介して前記センターポール部を囲む環状のトッププレート部と、前記磁気ギャップ内に磁界を与えるマグネットとを有し、前記センターポール部が、一方の開口が前記振動板中央部に対向し、他方の開口により外部空間につながる第１貫通孔を有し、前記ダンパが後側に変位したときに前記ダンパと前記磁気回路部との間に形成される第１空間から、前記磁気ギャップ、前記振動板中央部と前記センターポールとの間に形成される第２空間、および前記第１貫通孔をこの順で経て、前記外部空間に至る通気路が形成されるように、前記ダンパの通気性が設定されていることを特徴とする音響装置（スピーカ）である。
【０００８】
ボイスコイルに流す電流に応じて生じるボビンの振動に伴って、振動板およびダンパが振動するため、第２空間および第１空間の容積が変化する。上記のように、ダンパの通気性が適切に設定されていることにより、第１空間の容積が収縮したときに、第１空間から磁気回路内を経て第２空間に至る通気路を通過する気体の流れ（気流）が、第１空間からダンパを抜けて外部空間側に至る通気路を通過する気流よりも優先的となる。このため、第２空間の容積が収縮したときに、第１貫通孔を経て外部空間へと抜ける通気路を通過する気流が優先的に生じる。その結果、上記のような、第１空間から、磁気ギャップ、第２空間、および第１貫通孔をこの順で経て、外部空間に至る通気路が形成され、この通気路を通過する気流によって、ボイスコイルに電流を流したことに基づいて生じた熱を適切に外部空間に放出することが実現される。
【０００９】
上記の音響装置において、前記ダンパは通気性を有さないことが好ましい。この場合には、第１空間の内部の気体がダンパを通過して外部空間に流れることを安定的に抑制することができる。
【００１０】
上記の音響装置において、前記フレームは、ダンパ支持部から磁気回路取付部に至るまで前記第１空間と前記外部空間が連通しないように連続的に形成されていることが好ましい。この場合には、第１空間の内部の気体がフレームから外部空間に流れることを安定的に抑制することができる。
【００１１】
上記の音響装置において、前記第２空間内および前記第１貫通孔内の少なくともいずれかに位置し、前記前後方向に対して交差する面を有するフィンをさらに備えていてもよい。この場合には、前記フィンは、前記磁気回路部の動作時に、前記ボビンとともに前記前後方向に沿って往復動して前記通気路の通過流量を増やすように構成されていればよい。かかる構成を備える音響装置では、フィンが通気路の通過流量を増やす機能を果たすため、駆動に伴いボイスコイルに発生する熱をより安定的に放出することができる。
【００１２】
上記の音響装置において、前記振動板中央部に開口が設けられるとともに前記開口を塞ぐようにキャップが取り付けられ、前記フィンの少なくとも１つは前記キャップに設けられていてもよい。キャップは磁気ギャップ内に異物が入り込むことを抑制するための部材であり、ボビンとともに前後方向に振動する。したがって、キャップにフィンが設けられていることにより、ボビンの振動とともにフィンを振動させることが容易に実現される。
【００１３】
上記の音響装置において、前記フィンの少なくとも１つは前記ボビンに設けられていてもよい。
【発明の効果】
【００１４】
本発明の車載用音響装置によれば、ボビンの内側の空間が非閉鎖空間である構成を有していながら、駆動に伴いボイスコイルに発生する熱を効率的に適切に放出することができる。
【図面の簡単な説明】
【００１５】
【図１】本発明の一実施形態に係る音響装置の断面図である。
【図２】本発明の一実施形態に係る音響装置の放熱プロセスを説明するための図である。
【図３】従来技術に係る音響装置の放熱プロセスを説明するための図である。
【図４】本発明の他の一実施形態に係る音響装置の断面図である。
【図５】本発明の他の一実施形態の変形例に係る音響装置の断面図である。
【発明を実施するための形態】
【００１６】
以下、発明の実施の形態について図面を参照して説明する。図１は、本発明の一実施形態に係る音響装置の断面図である。図１に示すように、本発明の一実施形態例に係る音響装置（スピーカ）１では、略円錐台状の形状を有するフレーム６に各種部材が取り付けられている。フレーム６は外周縁側に円環状の環状部６ａおよび環状部６ａから延設される円錐台形状を有する支持部６ｃを有し、円錐台形状を有する支持部６ｃの周面には複数の切欠き孔６ｂが形成されている。
【００１７】
スピーカ１において音圧を発生させる振動板１０は略円錐台形状を有し、外周縁側にエッジ１０ａを有しており、このエッジ１０ａがフレーム６の環状部６ａに取り付けられている。図１に示すスピーカ１では、具体的には、エッジ１０ａはフレーム６の環状部６ａに接着剤により接着されている。このようにフレーム６に支持されることにより、フレーム６の前後方向（図１におけるＸ１−Ｘ２方向）に沿って振動可能とされている。なお、環状部６ａの前側にはエッジ１０ａの損傷を防止するための保護リング４が取り付けられている。
【００１８】
振動板１０は中央部に開口１０ｂを有する。この開口１０ｂを含む振動板１０の内周部側を塞ぐように、円椀形状のキャップ１１が振動板１０に取り付けられている。
【００１９】
フレーム６の円錐台形状を有する支持部６ｃにおける頂部には、磁気回路部７が取り付けられている。磁気回路部７は、柱状のセンターポール部７１を有し、センターポール部７１の中心軸は振動板の振動方向（前後方向、（Ｘ１−Ｘ２方向））を向いている。センターポール部７１の後方（Ｘ１−Ｘ２方向Ｘ１側）の周囲にはボトムプレート部７２が一体的に設けられ、ボトムプレート部７２部の前側（Ｘ１−Ｘ２方向Ｘ２側）に環状のマグネット７４が取り付けられている。マグネット７４の前側（Ｘ１−Ｘ２方向Ｘ２側）には環状のトッププレート部７５が取り付けられている。このマグネット７４が設けられていることにより、センターポール部７１とトッププレート部７５との間には、環状の磁気ギャップ７３が形成される。なお、ボトムプレート部７２とトッププレート部７５がヨーク部を形成している。
【００２０】
本発明の一実施形態に係るスピーカ１の磁気回路７が有するセンターポール部７１は、一方（Ｘ１−Ｘ２方向Ｘ２側）の開口が振動板１０の中央部、具体的には開口１０ｂに対向し、他方（Ｘ１−Ｘ２方向Ｘ１側）の開口により外部空間ＳＸにつながる第１貫通孔７１Ｈを有する。
【００２１】
振動板１０の後側（Ｘ１−Ｘ２方向Ｘ１側）には筒状のボビン９が固定される。図１に示されるように、ボビン９は、振動板１０の後側に位置する磁気回路部７の磁気ギャップ７３に挿入されている。ボビン９における磁気ギャップ７３に挿入されている部分の側面には、ボイスコイル８が巻かれている。磁気ギャップ７３内に位置するボイスコイル８に流れる電流に応じてボビン９が前後（Ｘ１−Ｘ２方向）に往復動することによって、振動板１０が振動して、振動板１０から音圧が発生する。
【００２２】
前後方向（Ｘ１−Ｘ２方向）で振動板１０と磁気回路７との間にはダンパ１２が位置する。ダンパ１２は、外周側がフレーム６の支持部６ｃに支持され、内周側においてボビン９を支持している。上記のボビン９の往復動に伴い、振動板１０のみならず、ダンパ１２も前後（Ｘ１−Ｘ２方向）に往復動する。ダンパ１２は弾性部材から形成され、ボイスコイル８に電流が流れていない状態において、弾性回復力によってボビン９を中立位置に戻す機能を有する。
【００２３】
本発明の一実施形態に係るスピーカ１は、上記のような構造を有するため、ダンパ１２と磁気回路部７との間には第１空間Ｓ１が形成される。第１空間Ｓ１の外周を画成するフレーム６の支持部６ｃには特段の開口が設けられておらず、支持部６ｃから磁気回路取付部６ｄに至るまで第１空間Ｓ１と外部空間ＳＸが連通しないように連続的に形成されている。そして、第１空間Ｓ１に位置する気体は、磁気ギャップ７３が作る空間に移動すること以外では、ダンパ１２を通過することによってのみ、第１空間Ｓ１の外に移動しうる。本発明の一実施形態に係るスピーカ１が有するダンパ１２は、後述するように、このダンパ１２の通気性が適切に制御されている。
【００２４】
振動板１０の中央部に設けられた開口１０ｂを覆うようにキャップ１１が設けられているため、振動板１０の中央部に位置するキャップ１１とセンターポール７１との間には第２空間Ｓ２が形成されている。この第２空間Ｓ２は、ボビン９が前後（Ｘ１−Ｘ２方向）に往復動することによって、その容積が変動する。
【００２５】
本発明の一実施形態に係るスピーカ１では、ボイスコイル８に所定の電流が流れたことに起因してボビン９が後側（Ｘ１−Ｘ２方向Ｘ１側）に変位したときに、第１空間Ｓ１から、磁気ギャップ７３、第２空間Ｓ２、および第１貫通孔７１Ｈをこの順で経て、外部空間ＳＸに至る通気路が形成されるように、ダンパ１２の通気性が設定されている。ダンパ１２は、通気性を有さないことが望ましい。ただし、前述したような気流の流れとなる限り、適度に通気性を有していてもよい。ダンパ１２を構成する材料も、基本機能である制振機能を果たすとともに上記の機能を実現できる限り、任意である。ダンパ１２の構成材料の具体例として、樹脂等によって適度に目止めされた不織布、ゴムやエラストマー等の弾性部材、蛇腹構造等を有して弾性変形可能とされた部材（紙、樹脂、金属等から構成される。）などが挙げられる。
【００２６】
この通気路について、図２を用いて詳しく説明する。図２は、本発明の一実施形態に係る音響装置の放熱プロセスを説明するための図である。
【００２７】
図２に示されるように、ボビン９が後側（Ｘ１−Ｘ２方向Ｘ１側）に変位する（図１では、実線矢印にて示している。）と、振動板１０のみならず、ダンパ１２も後側（Ｘ１−Ｘ２方向Ｘ１側）に変位する（図１では、実線矢印にて示している。）。その結果、第１空間Ｓ１および第２空間Ｓ２の容積が減少し、減少した容積に相当する気体が外部空間ＳＸに放出されるか、気体の圧縮（空間圧力の上昇）が発生する。
【００２８】
本発明の一実施形態に係るスピーカ１のダンパ１２の通気性は、適切に制限されているため、第１空間Ｓ１内に位置する気体について、ダンパ１２を通過して振動板１０側に放出される気体の流れ（気流）Ｆ１１よりも、第２空間Ｓ２から磁気ギャップ７３の内部へと向かう気流Ｆ１２の方が優先的に生じる。この気流Ｆ１２は、磁気ギャップ７３に配置されるボイスコイル８とトッププレート部７５との間の隙間空間およびボイスコイル８とセンターポール７１との間の隙間空間を通過して、第２空間Ｓ２へと流れ込む。ボイスコイル８の両側に風速の大きい気流が流れるため、これによりボイスコイルが効率的に冷却される。そして、ボイスコイル８から生じた熱によりボイスコイル８およびボビン９の周囲に位置する空気は加熱されているところ、この加熱された空気は、この第１空間Ｓ１から磁気ギャップ７３を経て第２空間Ｓ２へと向かう気流によって、第２空間Ｓ２側に移動する。
【００２９】
ここで、第２空間Ｓ２の容積が減少して第２空間外に移動しようとする気体は、第１貫通孔７１Ｈの内部または磁気ギャップ７３の内部へと向かう。しかしながら、上記のように、第１空間Ｓ１からの気流が第２空間Ｓ２の内部に流れ込むため、第２空間Ｓ１の外部に移動しようとする気体は優先的に第１貫通孔７１Ｈの内部へと向かう。この際、第１空間Ｓ１から磁気ギャップ７３を通過して第２空間Ｓ２に流れ込んだ気体も、第１貫通孔７１Ｈの内部へと運ばれる。このように、第１空間Ｓ１からの気体および第２空間Ｓ２からの気体の双方が、第１貫通孔７１Ｈの内部に流入するため、第１貫通孔７１Ｈの内部の圧力が高くなる。それゆえ、第１貫通孔７１Ｈの内部から外部空間ＳＸへと流れる気流Ｆ２Ｘによって、磁気ギャップ７３を経由したことにより加熱された空気を含む第１貫通孔７１Ｈの内部の気体が、効率的に外部空間ＳＸに放出される。
【００３０】
以上説明したように、本発明の一実施形態に係るスピーカ１では、ダンパ１２が後側（Ｘ１−Ｘ２方向Ｘ１側）に変位したときに、スピーカ１では、第１空間Ｓ１から、磁気ギャップ７３、第２空間Ｓ２、および第１貫通孔７１Ｈをこの順で経て、外部空間ＳＸに至る通気路が形成されている。
【００３１】
図３は、従来技術に係る音響装置の放熱プロセスを説明するための図である。図３に示されるスピーカのダンパは、本発明の一実施形態に係るスピーカ１が備えるダンパ１２に比べて、通気性が高い。
【００３２】
このため、ボビンが後側（Ｘ１−Ｘ２方向Ｘ１側）に変位して第１空間の容積が減少すると、ダンパを通過する気流Ｆ１１によって十分な量の気体が振動板側に移動し、さらに振動板とダンパとの間に位置するフレームの切欠きから外部空間ＳＸへと流れる気流Ｆ１Ｘによって、外部空間ＳＸへと移動してしまう。
【００３３】
したがって、第１空間Ｓ１から磁気ギャップ７３へと向かう気流Ｆ１２により移動する気体は限定的となる。それゆえ、本発明の一実施形態に係るスピーカ１とは異なり、第１空間Ｓ１から磁気ギャップ７３を経由して第２空間Ｓ２に流れ込む気流が優先的に発生することは期待できない。しかも、第２空間Ｓ２の容積が減少したことに基づいて第２空間Ｓ２から磁気ギャップ７３内に流れ込む気流Ｆ２２が生じうる。気流Ｆ１２と気流Ｆ２２は、磁気ギャップ７３の内部において反対向きであるから、これらの気流が衝突する磁気ギャップ７３の内部に位置する気体は、その移動が抑制されてしまう。それゆえ、図３に示されるスピーカの場合には、ボイスコイルから生じた熱を外部空間ＳＸに効率的に放出することができない。
【００３４】
なお、特許文献１に開示されるように、第２空間に相当する内部空間を非閉鎖空間として、内部空間と外部空間との境界に弁部材を配置しても、本発明の一実施形態に係るスピーカ１のような効果は期待できない。この弁部材は、外部空間から内部空間側への気体の移動を抑制することにより、内部空間から外部空間側への気体の移動を優先させているが、弁部材が設けられたことにより、内部空間の容積が減少した際に内部空間に生じる圧力上昇は、弁部材が設けられていない場合に比べて高くなる。このため、内部空間からギャップ（磁気ギャップ）へと向かう気流はむしろ強くなり、ギャップを通過して内部空間へと向かう気流は発生しにくくなる。したがって、図３に示されるスピーカに弁部材を設けても、ギャップにおいて生じた熱を効率的に外部空間に放出することは困難である。
【００３５】
本発明の一実施形態に係るスピーカ１のように、ダンパ１２の通気性を低下させて、第１空間Ｓ１の容積減少に基づいて発生する気体移動を磁気ギャップ７３側に優先的に導くことにより、第１空間から磁気ギャップ７３を経由して第２空間へと流れる気流を安定的に発生させることができ、これにより、ボイスコイル８から生じた熱を効率的に外部空間に放出することが実現される。
【００３６】
続いて、本発明の他の一実施形態に係るスピーカについて、図４および図５を用いて説明する。図４は、本発明の他の一実施形態に係る音響装置の断面図であり、図５は、本発明の他の一実施形態の変形例に係る音響装置の断面図である。
【００３７】
本実施形態に係るスピーカ１Ａは、基本構造は本発明の一実施形態に係るスピーカ１に等しい。スピーカ１に対する相違点は、キャップ１１の構造である。スピーカ１Ａのキャップ１１は、断面が円弧状の形状を有し振動板１０の開口１０ｂを覆うカバー部１１ｃと、カバー部１１ｃの頂部から、その後側（Ｘ１−Ｘ２方向Ｘ１側）に形成されている第２空間Ｓ２内へと突出するピラー部１１ｐと、ピラー部１１ｐの突出方向（前後方向）に対して交差する面を有してピラー部１１ｐに付設されるフィン１３と、を備える。
【００３８】
図４に示されるスピーカ１Ａでは、フィン１３は、前後方向（Ｘ１−Ｘ２方向）に並ぶ２枚のフィン（第１フィン１３１、第２フィン１３２）からなる。フィン１３は、磁気回路部７の動作時に、ボビン９とともに前後方向（Ｘ１−Ｘ２方向）に沿って往復動する。この往復動は、ダンパ１２が後側（Ｘ１−Ｘ２方向Ｘ１側）に変位したときに、第１空間Ｓ１から、磁気ギャップ７３、第２空間Ｓ２、および第１貫通孔７１Ｈをこの順で経て、外部空間ＳＸに至る通気路の通過流量を増やすことができる。
【００３９】
スピーカ１Ａのフィン１３は、上記のように２枚のフィンで構成されているが、これに限定されない。上記の通気路の通過流量を増やすことができる限り、任意である。具体的には、フィン１３は１枚であってもよいし、３枚以上であってもよい。また、フィン１３の形状は、前後方向（Ｘ１−Ｘ２方向）に対して交差する面を有し、上記の通気路の通過流量を増やすことができる限り、任意である。例えば前後方向（Ｘ１−Ｘ２方向）を中心軸とするスパイラル形状を有していてもよい。
【００４０】
フィン１３を構成する材料は限定されない。スピーカ１Ａの２枚のフィン（第１フィン１３１、第２フィン１３２）は、キャップ１１と同材料から構成され、比較的剛性が高い材料からなる。フィン１３を構成する材料は、弾性係数が相対的に低い材料から構成されていてもよい。
【００４１】
図５に示されるスピーカ１Ｂのように、フィン１３はボビン９に取り付けられていてもよい。この場合も、前後方向（Ｘ１−Ｘ２方向）に対して交差する面を有し、上記の通気路の通過流量を増やすことができる限り、具体的な形状等は任意である。スピーカ１Ｂでは、２枚フィンは、それぞれ、ボビン９の内壁から、上下方向（Ｚ１−Ｚ２方向）に第２空間Ｓ２の中心部側に突出する片状の形状を有する。
【００４２】
上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００４３】
１，１Ａ，１Ｂ  スピーカ
４  保護リング
１０  振動板
６  フレーム
６ａ  環状部
６ｂ  切欠き孔
６ｃ  支持部
６ｄ  磁気回路取付部
７  磁気回路部
７１  センターポール部
７１Ｈ  第１貫通孔
７２  ボトムプレート部
７３  磁気ギャップ
７４  マグネット
７５  トッププレート部
８  ボイスコイル
９  ボビン
１０ａ  エッジ
１０ｂ  開口
１１  キャップ
１１ｃ  カバー部
１１ｐ  ピラー部
１２  ダンパ
１３  フィン
１３１  第１フィン
１３２  第２フィン
Ｓ１  第１空間
Ｓ２  第２空間
ＳＸ  外部空間
Ｆ１１，Ｆ１２，ＦＧ，Ｆ２１，Ｆ２２，Ｆ１Ｘ，Ｆ２Ｘ  気流
【図１】
2018101895.tif 000003
【図２】
2018101895.tif 000004
【図３】
2018101895.tif 000005
【図４】
2018101895.tif 000006
【図５】
2018101895.tif 000007